(57)【要約】【課題】サポート・フレーム構造の組立または収納時、快速的に折畳み組立可能なスポーツ用鉄棒構造及び平行棒構造を提供する。【解決手段】サイド・ベース・プレート１に、横棒４が嵌挿結合されたサイド・トップ・フレーム３とコ字型湾曲チューブ２とを嵌挿結合する。また、サイド・ベース・フレーム１は、補助サポート棒１６を収納ベース１７１に旋回収納し、コ字形サイド枠フレーム１３を上方へ引き上げる方式によってコ字形サイド枠フレーム１３を、上横棒１１を回転軸とし上へ折り畳むことができ、横棒１１と縦棒１２とからなる枠フレーム体をできるだけ同一の平面に位置させるように折り畳むことができ、この際、前記方形サイド枠フレーム１４はサポート棒１５の作用によって一斉に下横棒１１を回転軸として上へ向いて折り畳まれる構成とする。【選択図】　図１
0003097920.tif 000002
【実用新案登録請求の範囲】
【請求項１】
二つのサイド・ベース・フレーム同士と、二つのコ字形湾曲チューブ同士と、二つのサイド・トップ・フレーム同士と、横棒と、揺動部材とからなり、前記二つのサイド・ベース・フレーム同士と前記二つのサイド・トップ・フレーム同士とを前記横棒をサポートできるサポート枠フレームを形成するように組立てると共に、前記二つのコ字形湾曲チューブ同士を前記二つのサイド・ベース・フレーム同士の外側につけることによって枠フレーム全体構造の横方向サポート効果を獲得する構造体において、
前記サイド・ベース・フレームは、主に上横棒と下横棒とからなる二本の横棒と二本の縦棒とコ字形サイド・フレームと複数本のサポート棒とからなり、且つ二本の横棒と二本の縦棒とを枠フレームになるように組立ててから、前記コ宇形サイド・フレームの両端部をそれぞれ上横棒の両側端部につけ、且つ前記方形サイド・フレームを下横棒の両側端部に枢着することによって方形サイド・フレームを前記下横棒の両側辺部に位置するように設定し、また、コ宇形および方形のサイド・フレームの間に所定のギャップを介して前記コ宇形および方形のサイド・フレームと直交するように複数本のサポート棒を配置し、また、前記サイド・トップ・フレームは二つの対称しあう位置決め孔同士を有し、横棒の貫通位置決めに供することができ、且つ前記揺動部材は二本の、平行すると共に上下方にそれぞれ配列される上棒部材と下棒部材とからなると共に、それらの部材同士の間に複数の連接片同士を配置し、且つ前記上棒部材が中空状チューブからなると共に、前記横棒に取り付けられ、且つ前記下棒部材の外周縁部にブシュを取り付けることを特徴とする快速的に折畳み組立可能なスポーツ用鉄棒構造及び平行棒構造。
【請求項２】
前記上横棒は前記二本の縦棒同士のトップより所定の距離を隔てられる箇所に配置され、それらの二本の縦棒同士のトップにおいて前記サイド・トップ・フレームの嵌挿用の嵌挿部が形成されることを特徴とする請求項１に記載の快速的に折畳み組立可能なスポーツ用鉄棒構造及び平行棒構造。
【請求項３】
前記下横棒の両端部に縮径する嵌挿部が形成され、前記下横棒の両端部に二本の縦棒同士を詰合してから、前記下横棒の両端部における嵌挿部がすべて二本の縦棒同士の外側へ突出され、そこにコ字形湾曲チューブを取り付けることを特徴とする請求項１に記載の快速的に折畳み組立可能なスポーツ用鉄棒構造及び平行棒構造。
【請求項４】
前記二つのサイド・ベース・フレーム同士の縦棒における選定される箇所にそれぞれピン部材によって一つの補助サポート棒を取り付け、それらの補助サポート捧同士の一端を前記二本の縦棒同士にピン部材によって結合し、且つその他端部を前記コ字形湾曲チューブに対し斜めに固着するように設定することを特徴とする請求項１に記載の快速的に折畳み組立可能なスポーツ用鉄棒構造及び平行棒構造。
【請求項５】
前記サイド・ベース・フレームの二本の縦棒同士においてさらに副横棒を架設し、且つその副横棒の両側にそれぞれ収納ベースが設けられ、それらの箇所に補助サポート棒を旋回係止することを特徴とする請求項１に記載の快速的に折畳み組立可能なスポーツ用鉄棒構造及び平行棒構造。
【請求項６】
前記サイド・トップ・フレームにおける位置決め孔は中空チューブ状物体に形成されることを特徴とする請求項１に記載の快速的に折畳み組立可能なスポーツ用鉄棒構造及び平行棒構造。
【請求項７】
前記揺動郁材の上棒部材はその中段部に二つの掛けフック部が形成されることを特徴とする請求項１に記載の快速的に折畳み組立可能なスポーツ用鉄棒構造及び平行棒構造。
【請求項８】
前記横棒の前後端部にそれぞれ貫通する穿孔が形成され、それらの箇所にピン部材を挿入することによって位置決め作用を発揮することを特徴とする請求項１に記載の快速的に折畳み組立可能なスポーツ用鉄棒構造及び平行棒構造。
【考案の詳細な説明】
【０００１】
【考案の属する技術分野】
本考案は、快速的に折畳み組立可能なスポーツ用鉄棒構造及び平行棒構造に係わり、特にサポート・フレームのモジュール化設計によってサポート・フレームの組立または収納時に、すべてサイド・ベース・フレームを折畳みまたは伸びだすことによって快速的にその操作を完成できる、快速的に折畳み組立可能なスポーツ用鉄棒構造及び平行棒構造に関するものである。
【０００２】
【従来の技術】
従来の運動用鉄棒構造は、主に二本の簡素なサポート・フレームの上部に一本の横棒を架設して形成されるものであり、その強度と安定性を考量するため、大体前記二本のサポート・フレームを地中の所定の深度まで埋めるようにし、且つ横棒とサポート・フレーム同士の間を溶接によって固定するようになっていた。
【０００３】
また、従来の平行棒構造は、複数のサポート・フレームで二本の横棒を保持するものであり、前記に説明した運動用鉄棒のように、従来の平行棒構造にも固定され、移動できないという使用のリミットを有し、使用上の不便さを招き、且つ前記の従来の運動用鉄棒構造と平行棒構造とが多くの類似する構造特徴を有するが、目前の関連製品においてそれらを整合する製品が見られていない。
【０００４】
そのため、前記の従来の運動用鉄棒構造と平行棒構造とは特定の場所に固定して配置され、取り外し不能で、移動ができず、占用スペースが大きいなどの課題を有するため、本考案の考案者はそれらの運動用鉄棒構造と平行棒構造とに対し改良を実施し、且つ中華民国実用新案公告第４８８３０３号（特許文献１）および米国特許第６３９４９３２号（特許文献２）を取得した（以下、前特許件と称する）。それらは主に二つのサイド・ベース・フレームと二つのサイド・トップ・フレームとをそれぞれ嵌挿結合して横棒の両側をサポートできるサポート・フレームを形成し、その横棒を運動用鉄棒の主要構造とすると共に、下方に位置するサイド・ベース・フレームに内外方へ枢着回転できる弧形サポート・フレームを設け、弧形フレームを内方へ横棒の下方に位置するように折り畳んでから、使用者の両手の握持に供することができるようになり、固定運動用鉄棒の簡易な動作を実行できるようになり、且つそのサイド・ベース・フレームの前後側にそれぞれ外方へ突出する弧形湾曲チューブを結合することによって前記サポート・フレームのサポート面積を増加し、前記の構造によって取り外し移動可能で、運動用鉄棒構造と平行棒構造との機能を兼ねる構造体を形成するものである。
【０００５】
【特許文献１】
中華民国実用新案公告第４８８３０３号
【０００６】
【特許文献２】
米国特許第６３９４９３２号
【０００７】
【考案が解決しようとする課題】
しかしながら、前記の組立式の運動用鉄棒構造と平行棒構造とは組立または収納の手数（操作）が面倒で、組立に時間がかかるという問題があった。
【０００８】
本考案は、上記の問題点に鑑みてなされたものであり、その目的は、サポート・フレーム構造のモジュール化設計によって、サポート・フレーム構造の組立または収納時に、すべてサイド・ベース・フレームを折畳み及び展開する（伸びだす）ことにより、快速的に折畳み組立可能な鉄棒構造及び平行棒構造を提供することにある。
【０００９】
また、本考案は、構成部材を簡素化することによって組立及び取外しが容易で、取り外し時間を節約できる、快速的に折畳み組立可能な鉄棒構造及び平行棒構造を提供することをその次の目的とする。
【００１０】
本考案の考案者は精を求めることにさらに精を求める精神に基づいて、且つ前記の技術手段を源とし、その構造特徴に変更設計を施し、その組立てることとその取り外すこととを簡単なモジュール化設計によって達成することによりもっと便利的で快速的に組立てられ、全体設計を好ましい境界に達させる考案を提出するに至った。
【００１１】
また、本考案の考案者は前記の前特許件に対し完璧にならない箇所に対し研究改良を進めた結果、とうとう本考案を提案するに至った。
【００１２】
【課題を解決するための手段】
前記の目的を達成するために、本考案は、二つのサイド・ベース・フレーム同士と、二つのコ字形湾曲チューブ同士と、二つのサイド・トップ・フレーム同士と、横棒と、揺動部材とからなり、前記二つのサイド・ベース・フレーム同士と前記二つのサイド・トップ・フレーム同士とを前記横棒をサポートできるサポート枠フレームを形成するように組立てると共に、前記二つのコ字形湾曲チューブ同士を前記二つのサイド・ベース・フレーム同士の外側につけることによって枠フレーム全体構造の横方向サポート効果を獲得する構造体において、前記サイド・ベース・フレームは、主に上横棒とした横棒とからなる二本の横棒と二本の縦棒とコ字形サイド・フレームと複数本のサポート棒とからなり、且つ二本の横棒と二本の縦棒とを枠フレームになるように組立ててから、前記コ字形サイド・フレームの両端部をそれぞれ上横棒の両側端部につけ、且つ前記方形サイド・フレームを下横棒の両側端部に枢着することによって方形サイド・フレームを前記下横棒の両側辺部に位置するように設定し、また、コ字形および方形のサイド・フレームの間に所定のギャップを介して前記コ字形および方形のサイド・フレームと直交するように複数本のサポート棒同士を配置し、また、前記サイド・トップ・フレームは二つの対称しあう位置決め孔同士を有し、横棒の貫通位置決めに供することができ、且つ前記揺動部材は二本の、平行すると共に上下方にそれぞれ配列される上棒部材と下棒部材からなると共に、それらの部材同士の間に複数の連接片同士を配置し、且つ前記上棒部材が中空状チューブからなると共に、前記横棒に取り付けられ、且つ前記下棒部材の外周縁部にブシュを取り付ける構成である。
【００１３】
上記の構成によれば、前記の部材によって構造体を組立てることにより二つのサイド・ベース・フレーム同士を一つのモジュールを形成するように組立てられるようにすると共に、可動性を有する折畳み組立可能な様態を形成でき、枠フレーム構造体を組立てることと取り外すこととを快速的で単純的で簡易的に実行できるようにし、且つ全体の構造体を収納時または包装時に全体の体積を縮小できる。したがって、快速的に折畳み組立可能なスポーツ用鉄棒構造及び平行棒構造を提供することができる。
【００１４】
【考案の実施の形態】
以下に、本考案の目的と技術特徴と機能とを開示するために、添付図面を参照しながら本考案の具体的な実施の形態を詳細に説明する。
【００１５】
図１および図２はそれぞれ本考案の組立斜視図と分解斜視図である。これらの図面に示されるように、本考案は、主に二つのサイド・ベース・フレーム１と、二つのコ字形湾曲チューブ２と、二つのサイド・トップ・フレーム３と、横棒４と、揺動部材５などの部材からなり、且つ前記サイド・トップ・フレーム３はほぼ八字形に形成される枠フレーム体であり、その底側の分岐端部にそれぞれ縮径する嵌挿部３１が形成される。
【００１６】
そのうち、前記サイド・ベース・フレーム１は主に二本の横棒１１（上横棒１１、下横棒１１）と二本の縦棒１２とコ字形サイド枠フレーム１３と方形サイド枠フレーム１４と複数本のサポート棒１６などの部材からなる。
【００１７】
組立方法は、まず、前記二本の横棒１１と前記二本の縦棒１２とを枠フレームを形成するように組立固定する。また、前記上横棒１１を前記二本の縦棒１２同士のトップより所定の距離を隔てられる箇所に配置し、且つ二本の縦棒１２のトップに嵌挿部を形成し、そこにサイド・トップ・フレーム３の嵌挿部３１の嵌挿を受け、且つ前記下横棒１１の両端部に縮径する嵌挿部１１１を形成し、前記二本の縦棒１２同士と結合してから、それらの両端部における嵌挿部１１１をすべて二本の縦棒１２同士の外側へ突出させるようにし、それらの処置によってコ字形湾曲チューブ２を取り付けることに供し、また、前記コ字形サイド枠フレーム１３の両端部を前記上横棒１１の両側に取り付け、且つ前記方形サイド枠フレーム１４としてその上方のコ字形サイド枠フレーム１３に対応する長さのサイド枠フレームを取って、前記した横棒１１の両側に取り付け、方形サイド枠フレーム１４を下横棒１１の両側辺部に枢着し、方形サイド枠フレーム１４を下棒１１の両側辺部に位置決めてから、コ字形と方形のサイド枠フレーム１３、１４との間で所定の間隔を取って複数本のサポート棒１５同士を、コ字形と方形のサイド枠フレーム１３、１４と直交するように配置し、これらの処置によってサイド・ベース・フレーム１自身のサポート強度を向上する。
【００１８】
また、前記二つのサイド・トップ・フレーム３には二つの対称しあう位置決め孔３２を有し、それらの位置決め孔３２として中空状チューブの中心孔を採用でき、且つそれらの位置決め孔３２には螺孔３２１が形成され、ネジ３２２の螺着を受けることによって位置決めをし、また、前記横棒４が前記位置決め孔３２に螺着されて位置決めされ、且つ横棒４の前後端部にそれぞれ貫通した穿孔４１が形成され、また、前記揺動部材５は二本の平行すると共に、上下方に配置される上棒部材５１と下棒部材５２と、それらの間に配置される二枚の連接片５３とからなり、上棒部材５１は中空状チューブからなり、前記横棒４につけられ、且つ前記下棒部材５２の外周縁部にブシュ５４がつけられ、前記の諸構成によって前記の横棒４が前記上棒部材５１を貫通してから、前記横棒４の前後端をそれぞれ二つのサイド・トップ・フレーム３の上端部における位置決め孔３２を貫通させて位置決め、且つ位置決め孔３２のトップにおける螺孔３２１を介してネジ３２２をその上に螺着することによって横棒４を固定し、この際、前記横棒４の前後端部が位置決め孔３２の外方に露出され、且つ横棒４の前後端の穿孔４１をも位置決め孔３２の外方へ露出させ、そのため、ピン部材４２を前記穿孔４１を通させて位置決めさせるようにすることができるようになり、横棒４が滑り変位を生じられなくなり、また、組立完成後の二つのサイド・トップ・フレーム３の嵌挿部３１を前記二つのサイド・ベース・フレーム１の二本の縦棒１２同士のトップに挿着すると、スポーツ用鉄棒構造及び平行棒構造の組立を完成する。
【００１９】
前記揺動部材５の上棒部材５１が前記横棒４の外周縁部につけられるので、揺動部材５が横棒４において回動でき、また、その揺動部材５の下棒部材５２の外周縁部にブシュ５４がつけられるので、前記ブシュ５４が前記下棒部材５２において回動でき、使用者は両手で前記ブシュ５４を握持することによって前後に揺動する運動用鉄棒体操の動作を実行できる。また、二つのコ字形のサイド・フレーム１３同士は横棒４の二つのサイド・ベース・フレーム１同士の間で対向するように配置されるため、使用者は両手で前記二つのコ字形サイド・フレーム同士１３を握って、各種の簡易な平行棒体操の動作を実行できる。
【００２０】
前記の組立構成によって二つのサイド・ベース・フレーム１をモジュール化することができると共に、可動式の折畳み組立可能な様態を形成でき、二つのサイド・ベース・フレーム１同士と二つのサイド・トップ・フレーム３同士とをそれぞれ嵌挿結合して横棒４の両側をサポートできるフレーム構造体を形成でき、また、二つのコ字形湾曲チューブ同士２を二つのサイド・ベース・フレーム１の外側につけることによってサポート・フレーム全体の構造の横方向サポート効果を提供でき、サポート・フレームの組立または取り外し作業を快速的で単純的で簡易的に実行できるようにすることができ、サポート・フレームの取り外し後の収納体積を縮小できる。
【００２１】
また、本考案は、組立使用時に、その安定性を向上するために、二つのサイド・ベース・フレーム１の縦棒１２における選択箇所にそれぞれ補助サポート棒１６を固着し、それらの補助サポート棒１６の一端を前記二つの縦棒１２に固着させると共に、他端部を斜めに前記コ字形湾曲チューブ２に固着させることができるので、サイド・ベース・フレーム１の展開時の安定性を向上できる。
【００２２】
また、本考案のサイド・ベース・フレーム１のモジュール化設計をさらに完璧にさせるために、前記サイド・ベース・フレーム１の二本の縦棒１２においてさらに副横捧１７を架設し、且つその副横棒１７の両側にそれぞれ収納ベース１７１を形成させ、それぞれの収納ベース１７１がすべて補助サポート棒１６の可動端（補助サポート棒１６の一端が二本の縦棒１２同士に固着される）に対応されるので、サイド・ベース・フレーム１が折畳み収納される場合に、前記補助サポート棒１６の可動端が前記収納ベース１７１内に旋回差し込むことができるので、係合位置決めさせることができる。
【００２３】
図３および図４は、本考案のサイド・ベース・フレーム１の折畳み収納時の操作の斜視図であり、サイド・ベース・フレーム１を折畳み収納しようとする場合に、まず補助サポート棒１６を収納ベース１７１に旋回収納し、使用者はコ字形サイド枠フレーム１３を上方へ引き上げる方式によってコ字形サイド枠フレーム１３を、上横棒１１を回転軸とし上へ折り畳むことができ、横棒１１と縦棒１２とからなる枠フレーム体をできるだけ同一の平面に位置させるように寄せる（折り畳む）。この際、前記方形サイド枠フレーム１４は同期的に（コ字形サイド枠フレーム１３が、上横棒１１を回転軸とし上へ折り畳まれるのと同時に）サポート棒１５の作用によって一斉に下横棒１１を回転軸として上へ向いて折り畳まれ、このような場合では、サイド・ベース・フレーム１全体の体積を最もスペースを占用しない扁平状形態とすることができ、同時に、サイド・ベース・フレーム１が折り畳まれる後の占用する面積がコ字形湾曲チューブ２とサイド・トップ・フレーム３と横棒４の占用する面積または長さとほぼ同じであるので、本考案の全体構成を収納または包装時の全体的体積を減少させることができるようになる。
【００２４】
また、図５および図６に示すのは、本考案の実施形態の一例であり、揺動部材５の上棒部材６１の中段部に二つの掛けフック部５１１が形成され、それらの掛けフック部５１１が穿孔を有する突出片からなり、その掛けフック部５１１に砂バッグ６またはブランコ７を掛けられるので、使用者は所要のニーズに応じて各種の異なるスポーツをすることができる。
【００２５】
本考案は前記のそれぞれの構成部材の組立嵌挿部または孔部の周縁部にすべて予め接続貫通孔（または螺孔）を形成させることができ、それらの箇所にピン部材（またはボルト）などを差し込んで位置決めさせることによってそれぞれの関連部材同士の結合品質をさらに向上することができる。
【００２６】
前記に説明した通りに、本考案による「快速的に折畳み組立可能なスポーツ用鉄棒構造及び平行棒構造」は確かに従来にない最新の考案応用であり、その構成は簡素で実用的であると共に、既に実用性と進歩性に富み、合理的な実用新案の考案に属し、そのため、法に従って実用新案登録を提起するが、ご査察の上、早期に登録を受けるよう宜しくお願いいたします。
【００２７】
【考案の効果】
本考案は、以上のように、二つのサイド・ベース・フレーム同士と、二つのコ字形湾曲チューブ同士と、二つのサイド・トップ・フレーム同士と、横棒と、揺動部材とからなり、前記二つのサイド・ベース・フレーム同士と前記二つのサイド・トップ・フレーム同士とを前記横棒をサポートできるサポート枠フレームを形成するように組立てると共に、前記二つのコ字形湾曲チューブ同士を前記二つのサイド・ベース・フレーム同士の外側につけることによって枠フレーム全体構造の横方向サポート効果を獲得する構造体において、前記サイド・ベース・フレームは、主に上横棒とした横棒とからなる二本の横棒と二本の縦棒とコ字形サイド・フレームと複数本のサポート棒とからなり、且つ二本の横棒と二本の縦棒とを枠フレームになるように組立ててから、前記コ字形サイド・フレームの両端部をそれぞれ上横棒の両側端部につけ、且つ前記方形サイド・フレームを下横棒の両側端部に枢着することによって方形サイド・フレームを前記下横棒の両側辺部に位置するように設定し、また、コ字形および方形のサイド・フレームの間に所定のギャップを介して前記コ字形および方形のサイド・フレームと直交するように複数本のサポート棒同士を配置し、また、前記サイド・トップ・フレームは二つの対称しあう位置決め孔同士を有し、横棒の貫通位置決めに供することができ、且つ前記揺動部材は二本の、平行すると共に上下方にそれぞれ配列される上棒部材と下棒部材からなると共に、それらの部材同士の間に複数の連接片同士を配置し、且つ前記上棒部材が中空状チューブからなると共に、前記横棒に取り付けられ、且つ前記下棒部材の外周縁部にブシュを取り付け、前記の部材によって構造体を組立てることにより二つのサイド・ベース・フレーム同士を一つのモジュールを形成するように組立てられる。
【００２８】
これにより、可動性を有する折畳み組立可能な様態を形成でき、枠フレーム構造体を組立てることと取り外すこととを快速的で単純的で簡易的に実行できるようにし、且つ全体の構造体を収納時または包装時に全体の体積を縮小できる。それゆえ、快速的に折畳み組立可能なスポーツ用鉄棒構造及び平行棒構造を提供することができる。
【図面の簡単な説明】
【図１】本考案を示す組立斜視図である。
【図２】本考案を示す分解斜視図である。
【図３】本考案におけるサイド・ベース・フレームの展開時の状態を示す斜視図である。
【図４】本考案におけるサイド・ベース・フレームの収納時の状態を示す斜視図である。
【図５】本考案の実施形態の一例を示す組立斜視図である。
【図６】本考案の実施形態の一例を示す組立斜視図である。
【符号の説明】
１　　　　サイド・ベース・フレーム
２　　　　コ字形湾曲チューブ
３　　　　サイド・トップ・フレーム
４　　　　横棒
５　　　　揺動部材
６　　　　砂バッグ
７　　　　ブランコ
１１　　　横棒
１２　　　縦棒
１３　　　コ字形サイド枠フレーム
１４　　　方形サイド枠フレーム
１５　　　サポート棒
１６　　　補助サポート棒
１７　　　副横棒
３１　　　嵌挿部
３２　　　位置決め孔
４１　　　穿孔
４２　　　ピン部材
５１　　　上棒部材
５２　　　下棒部材
５３　　　連接片
５４　　　ブシュ
１１１　　嵌挿部
１７１　　収納ベース
３２１　　螺孔
３２２　　ネジ
５１１　　掛けフック部
【図１】
0003097920.tif 000003
【図２】
0003097920.tif 000004
【図３】
0003097920.tif 000005
【図４】
0003097920.tif 000006
【図５】
0003097920.tif 000007
【図６】
0003097920.tif 000008